(57)【要約】【課題】  フィルタの交換期間を延ばし、ダクトや送風機の長期間の使用による臭いの悪影響を軽減する。【解決手段】  ブロア１３から第１のダクト１７内に吐出された空気Ｗ１は、イオン発生機１５から供給されるイオンによって、塵埃が分解され、排出口２７ａ，２８ａから空気Ｗ２として排出される。空気Ｗ２の一部は、第２のダクト３０を介して吐出口２１から吐出され、台間機内の空気といっしょにブロア１３に吸入される。この空気Ｗ２によってフィルタ２２やブロア１３内に付着している塵埃が分解される。【選択図】  図５
2011182909.tif 000002
【特許請求の範囲】
【請求項１】
フィルタを通して吸い込んだ空気を吐出する送風機と、
この送風機から吐出された空気を装置外部へ導出する第１の空気通路と、
この第１の空気通路内にイオンを放出するイオン発生機と、
前記第１の空気通路に吐出され前記イオン発生機からイオンが放出された空気の一部を前記フィルタを介して前記送風機へ還流させる第２の空気通路とを備えたことを特徴とする空気清浄装置。
【請求項２】
請求項１記載の空気清浄装置を、隣接する一対の遊技台の間に設けられた台間機内に収容し、前記台間機の正面板に前記第１の空気通路に吐出された空気を当該台間機の外部へ吹き出す吹出口を設けたことを特徴とする遊技装置。
【発明の詳細な説明】
【技術分野】
【０００１】
本発明は、遊技台が設置された遊技場において、タバコの煙、塵埃、雑菌等空気中に含まれる汚染物質を除去する空気清浄装置およびそれを使用した遊技装置に関するものである。
【背景技術】
【０００２】
従来の空気清浄装置としては、本体ケースのフロントカバーに設けられた吸入口と、この吸入口から流入する汚染空気に含まれる塵埃を除去するフィルタと、汚染空気を吸引するファンユニットと、汚染空気をマイナスイオン化して電極部に吸着させ、オゾンを発生させて汚染空気を浄化する空気清浄化ユニットとを備え、この空気清浄化ユニットによって清浄化された空気を排出口から排出させるものがある（例えば、特許文献１参照）。
【先行技術文献】
【特許文献】
【０００３】
【特許文献１】特開２００８−２６４０５９号公報
【発明の概要】
【発明が解決しようとする課題】
【０００４】
上述したような従来の空気清浄装置においては、自浄作用がなく、フィルタには専ら汚染空気のみが通過する構造であるため、フィルタに付着する塵埃の堆積速度が速く、フィルタの交換期間が短くなってフィルタを頻繁に交換しなければならないという問題があった。また、汚染空気が通過するダクト内やファンユニットの内部には、塵埃やタバコのにおいの成分が付着し、排出口から排出される空気が悪臭を放つといった問題もあった。
【０００５】
本発明は上記した従来の問題に鑑みなされたものであり、その目的とするところは、装置自体に自浄作用をもたせ、フィルタに付着する塵埃の速度を相対的に遅らせることにより、フィルタの交換期間を延ばすことにある。また、ダクト内や送風機内に付着した塵埃やタバコ等の臭いの成分を通過する空気によって分解することにより、長期間の使用による臭いの悪影響を軽減することにある。
【課題を解決するための手段】
【０００６】
この目的を達成するために、本発明は、フィルタを通して吸い込んだ空気を吐出する送風機と、この送風機から吐出された空気を装置外部へ導出する第１の空気通路と、この第１の空気通路内にイオンを放出するイオン発生機と、前記第１の空気通路に吐出され前記イオン発生機からイオンが放出された空気の一部を前記フィルタを介して前記送風機へ還流させる第２の空気通路とを備えたものである。
【０００７】
本発明は、請求項１に係る発明を、隣接する一対の遊技台の間に設けられた台間機内に収容し、前記台間機の正面板に前記第１の空気通路に吐出された空気を当該台間機の外部へ吹き出す吹出口を設けたものである。
【発明の効果】
【０００８】
本発明によれば、イオンが放出された空気の一部がフィルタ側に還流することにより、このイオンがフィルタに付着した塵埃や雑菌を分解して除去するため、フィルタに付着する塵埃堆積速度を相対的に遅らすことができるから、フィルタの交換期間を延ばすことができる。また、イオンが放出された空気の一部が送風機に還流することにより、この空気といっしょに運ばれるイオンによって、送風機内に付着した塵埃やタバコ等の臭いの成分を分解することによりため、長期間の使用による臭いの悪影響を軽減することができる。
【０００９】
前記発明のうちの一つの発明によれば、台間機の吹出口から吹き出される空気が遊技台の空気環境を境界部で仕切るエアーカーテンとして機能するため、隣接する遊技者にタバコの煙が流れることを規制することができる。
【図面の簡単な説明】
【００１０】
【図１】同図（Ａ）は本発明に係る空気清浄装置を使用した遊技装置の正面図、同図（Ｂ）は同図（Ａ）におけるI （Ｂ）部の拡大図である。
【図２】本発明に係る空気清浄装置の正面図である。
【図３】図２におけるIII-III 線断面図である。
【図４】図２におけるIII-III 線で断面した斜視図である。
【図５】本発明に係る空気清浄装置の側面図である。
【図６】図５におけるVI-VI 線断面図である。
【発明を実施するための形態】
【００１１】
以下、本発明の実施の形態を図１ないし図６に基づいて説明する。
【００１２】
図１（Ａ）に全体を符号１で示す遊技装置は、互いに隣接する遊技機としてのパチンコ台２，２と、これらパチンコ台２，２との間に設けられた台間機３とを備え、台間機３の正面板には、同図（Ｂ）に示すようにパネル４が取り付けられており、このパネル４に対応して台間機４の内部には、後述する本発明の空気清浄装置１１が備えられている。このパネル４には、仕切壁６によって左右に分離された一対の吹出口５ａ，５ｂが図中上下方向に延在するようにスリット状に形成されており、これら吹出口５ａ，５ｂは、空気清浄装置１１の排出口２７ａ，２８ａのそれぞれに対応している。
【００１３】
次に、図２ないし図６を用いて、空気清浄装置１１について説明する。空気清浄装置１１は、図４に示すように箱状に形成された筺体１２を備えており、この筺体１２内には、送風機としてのブロア１３を収容するブロア収容室１４と、このブロア収容室１４と矢印Ｂ方向に隣接し、イオン発生機１５を収容するイオン発生機収容室１６と、このイオン発生機収容室１６の下方（矢印Ｄ方向）に隣接する空気通路としての第１のダクト１７とが形成されている。
【００１４】
このうち、ブロア収容室１４の矢印Ｅ方向側は、図５および図６に示すように筺体１２に一体に形成された側面壁１９によって覆われている。この側面壁１９のブロア１３に対応した部位には、上端にスリット状の開口を有するポケット部２０が形成されており、このポケット部２０の側面部には多数の吸込孔２０ａが設けられている。
【００１５】
また、この側面壁１９の下端部（矢印Ｄ方向の端部）には、後述する第２のダクト３０に連通され第２のダクト３０内を還流する空気Ｗ２を筺体１２の外部に吐出する三つの吐出孔２１が設けられている。ポケット部２０には、フィルタ２２が上端の開口から挿抜自在に収容されており、このフィルタ２２によってブロア１３の吸入口１３ａが覆われている。
【００１６】
上記したイオン発生機収容室１６および第１のダクト１７の矢印Ｅ方向側は開口され、この開口はカバー２３によって覆われており、このカバー２３は、下端部（矢印Ｄ方向の端部）が筺体に枢支され、上端部が、図５に示すように筺体１２に一体に形成された爪２４に係合している。爪２４に係合したカバー２３によってイオン発生機収容室１６および第１のダクト１７の後述するイオン用ダクト２７が覆われる。一方、爪２４を弾性変形させながらカバー２３の上端部との係合を解除し、カバー２３を下端部を回動中心として回動させることにより、イオン発生機収容室１６およびイオン用ダクト２７が開放される。
【００１７】
ブロア１３は、吸入口１３ａと直交する方向（矢印Ｂ方向）に、当該吸入口１３ａから吸入した空気Ｗ１を吐出する吐出口１３ｂが設けられており、この吐出口１３ｂから吐出された空気Ｗ１は第１のダクト１７に導入される。
【００１８】
第１のダクト１７は、図４に示すように矢印Ａ−Ｂ方向に延在し、矢印Ａ−Ｂ方向の両端部が開口され、矢印Ａ方向の開口端部はブロア１３の吐出口１３ｂと対向し、図２に示すように仕切壁２６を挟んで矢印Ｅ−Ｆ方向に空気通路としての二つのイオン用ダクト２７，２８が設けられている。これらイオン用ダクト２７，２８の各矢印Ｂ方向の開口端部には、空気Ｗ２を排出する排出口２７ａ，２８ａが設けられている。
【００１９】
上記したイオン用ダクト２７，２８の各天井部には、図５に示すように上記したイオン発生機収容室１６に連通された孔２７ｂ，２８ｂが設けられており、イオン用ダクト２７，２８には、イオン発生機１５からのイオン３３，３４が供給されるように構成されている。
【００２０】
イオン用ダクト２７，２８の各矢印Ｂ方向の端部の底部には、図３および図４に示すように分岐孔２７ｃ，２８ｃ（一方の分岐孔２８ｃは図示せず）と、これら分岐孔２７ｃ，２８ｃを覆うように矢印Ａ方向に突設された反転部２７ｄ，２８ｄとが一体に設けられている。したがって、ブロア１３の吐出口１３ｂから各ダクト２７，２８内に吐出された空気Ｗ１は、一部が反転部２７ｄ，２８ｄに当接することにより、これら反転部２７ｄ，２８ｄに沿って反転し、分岐孔２７ｃ，２８ｃを通過して後述する第２のダクト３０内を矢印Ａ方向に向かって流れる。
【００２１】
第１のダクト１７の下方には、矢印Ａ方向に延設された空気通路としての第２のダクト３０が設けられており、この第２のダクト３０の矢印Ｂ方向の端部は、分岐孔２７ｂ，２８ｂを介してイオン用ダクト２７，２８に連通されている。また、この第２のダクト３０の矢印Ａ方向の端部は、上記した三つの吐出口２１に連通されている。
【００２２】
このように構成された空気清浄装置１１は台間機３内に取り付けられると、図６に示すように台間機３とパチンコ台２とを仕切る仕切壁３ａとポケット部２０との間には、間隔Ｈなる隙間３１が形成される。
【００２３】
次に、図３ないし図６を用いて、このように構成された空気清浄装置１１によって空気を清浄させる動作について説明する。ブロア１３を作動させると、図６における台間機３内の空気がポケット部２０の吸込孔２０ａからフィルタ２２を通過し、図５に示すように吸入口１３ａからブロア１３内に吸入され、吐出口１３ｂからイオン用ダクト２７，２８内に空気Ｗ１が吐出される。
【００２４】
イオン３３，３４が放出された空気Ｗ１は、これらイオン３３，３４によって空気Ｗ１に含まれる塵埃や雑菌が分解されて除去されるとともに、塵埃やタバコ等の臭いの成分が分解されることにより、清浄された空気Ｗ２として、空気清浄装置１１の排出口２７ａ，２８ａを通って台間機３の吹出口５ａ，５ｂから吹き出される。このように、台間機３の吹出口５ａ，５ｂから吹き出される空気Ｗ２がパチンコ台２の空気環境を境界部で仕切るエアーカーテンとして機能するため、隣接する遊技者にタバコの煙が流れることを規制することができる。
【００２５】
一方、空気Ｗ２の一部は、図３に示すように反転部２７ｄ，２８ｄに当接し、分岐孔２７ｂ，２８ｂを介して第２のダクト３０内に流入する。この第２のダクト３０内に流入した空気Ｗ２は、第２のダクト３０内を矢印Ａ方向に導かれ、図５に示すように側面壁１９の吐出口２１から仕切壁３ａとポケット部２０との間の隙間３１に放出される。
【００２６】
隙間３１に放出された空気Ｗ２は、台間機３内の空気といっしょに、再びポケット部２０の吸込孔２０ａからフィルタ２２を通過して、吸入口１３ａからブロア１３内に吸入されることによりブロア１３内に還流される。この還流された空気Ｗ２には、イオン３３，３４がいっしょに運ばれているため、空気Ｗ２がフィルタ２２を通過するときに、これらイオン３３，３４によってフィルタ２２に付着している塵埃等を分解して除去する。このように、装置自体に自浄作用をもつため、フィルタ２２に付着する塵埃等の堆積速度を相対的に遅らすことができ、フィルタ２２の交換期間を延ばすことができる。また、ブロア１３内に空気Ｗ２が還流されることにより、イオン３３，３４によって、清掃が困難なブロア１３内に付着した塵埃やタバコ等の臭いの成分を分解することにより、長期間の使用による臭いの悪影響を軽減することができる。
【符号の説明】
【００２７】
１…遊技装置、２…パチンコ台（遊技機）、３…台間機、５ａ，５ｂ…吹出口、１３…ブロア（送風機）、１５…イオン発生機、１７…第１のダクト、２１…吐出口、２２…フィルタ、２７，２８…イオン用ダクト、２７ａ，２８ａ…排出口、２７ｂ，２８ｂ…分岐孔、３０…第２のダクト、３３，３４…イオン、Ｗ１，Ｗ２…空気。
【図１】
2011182909.tif 000003
【図２】
2011182909.tif 000004
【図３】
2011182909.tif 000005
【図４】
2011182909.tif 000006
【図５】
2011182909.tif 000007
【図６】
2011182909.tif 000008